(57)【要約】  番組を記録するためにブロードキャスト信号をリダイレクトする方法、システム、通信装置、およびコンピュータプログラム製品は、所定の条件または事象の発生を検出するステップを含んでもよい。方法、システム、通信装置、およびコンピュータプログラム製品は、さらに、ブロードキャスト信号によって搬送される番組を記録するためにブロードキャスト信号をリダイレクトするための、メッセージを送信するステップを含んでもよい。方法、システム、通信装置、およびコンピュータプログラム製品は、さらに、ブロードキャスト信号をリダイレクトすること、または番組を記録することに関連する、任意のオプションまたは命令を送信するステップを含んでもよい。【選択図】図１Ａ
2009505487.tif 000002
【特許請求の範囲】
【請求項１】
記録のためにブロードキャスト信号をリダイレクトする方法であって、
所定の条件または事象の発生を検出するステップと、
前記ブロードキャスト信号によって搬送される番組を記録するために前記ブロードキャスト信号をリダイレクトするための、メッセージを送信するステップと、
前記ブロードキャスト信号をリダイレクトすること、または前記番組を記録することに関連する、任意のオプションまたは命令を送信するステップとを備える、方法。
【請求項２】
前記メッセージの送信前に、ユーザに、前記ブロードキャスト信号をリダイレクトするかどうかの確認を促すステップと、
記録のために前記ブロードキャスト信号をリダイレクトすることを前記ユーザが確認したことに応えて、前記ブロードキャスト信号をリダイレクトするために、前記メッセージ、および任意のオプションまたは命令を、システムに送信するステップとをさらに備える、請求項１に記載の方法。
【請求項３】
前記所定の条件または事象の発生の検出に応えて、前記ブロードキャスト信号をリダイレクトするための前記メッセージを自動的に送信するステップをさらに備える、請求項１に記載の方法。
【請求項４】
前記所定の条件または事象は、前記ブロードキャスト信号を受信している通信装置の電源の切断、前記ブロードキャスト信号を受信している前記通信装置内の電源低下状態、前記通信装置が音声通話を受信すること、前記ブロードキャスト信号によって搬送される番組をユーザが見ることを妨げる別の通信を前記通信装置が受信すること、のうちの１つを備える、請求項１に記載の方法。
【請求項５】
前記オプションまたは命令は、
所定の期間にわたって、前記ブロードキャスト信号をリダイレクトすること、
前記ブロードキャスト信号を受信している通信装置の電源が切断されている期間にわたって、前記ブロードキャスト信号をリダイレクトすること、
前記通信装置によって受信される音声通話またはその他の通信の期間にわたって、前記ブロードキャスト信号をリダイレクトすること、
現在ブロードキャストされている番組の終わりまで、前記ブロードキャスト信号によって搬送される番組を記録すること、および、
さらなる通知まで、または予め設定された最大時間間隔まで、記録を継続すること、のうちの少なくとも１つを備える、請求項１に記載の方法。
【請求項６】
前記ブロードキャスト信号をリダイレクトするための、前記メッセージを送信するステップは、通信ネットワーク内のレコーダまたは記録機能部、ブロードキャストネットワーク内のレコーダまたは記録機能部、サードパーティのレコーダまたは記録機能部、およびユーザの独自のレコーダまたは記録機能部を含む群のうちの１つに、前記ブロードキャスト信号をリダイレクトするためのリダイレクト信号を送信するステップを備える、請求項１に記載の方法。
【請求項７】
前記所定の条件または事象の変化に応えて、ユーザに、記録された番組をすぐに見始めるかまたは後で見るかの確認を促すステップをさらに備える、請求項１に記載の方法。
【請求項８】
前記記録された番組を後で見ること、および前記ブロードキャスト信号の記録を継続することに関連する、任意のオプションまたは命令を入力するように前記ユーザを促すステップをさらに備える、請求項７に記載の方法。
【請求項９】
前記番組を見始めることの選択に応えて、前記番組の記録された部分の信号を受信するステップと、
任意のオプションまたは命令に従って前記番組を記録するために、前記ブロードキャスト信号のリダイレクトを継続するステップとをさらに備える、請求項７に記載の方法。
【請求項１０】
前記記録された番組に関する情報についての問い合わせを送るステップをさらに備える、請求項１に記載の方法。
【請求項１１】
前記記録された番組にアクセスするためのリンクを要求するステップをさらに備える、請求項１に記載の方法。
【請求項１２】
前記記録された番組にアクセスするための、前記ユーザによってアクセス可能な所定のインターネットＷｅｂページを提供するステップをさらに備える、請求項１に記載の方法。
【請求項１３】
前記記録された番組へのアクセスを可能にする情報を含む、インジケータを送信するステップをさらに備える、請求項１に記載の方法。
【請求項１４】
前記インジケータを送信するステップは、前記記録された番組にアクセスするためのＷｅｂページへのリンクを含む、テキストメッセージ、電子メールメッセージ、または別の通信のうちの１つを送信するステップを備える、請求項１３に記載の方法。
【請求項１５】
請求項１に記載の方法を実行するためのシステム。
【請求項１６】
請求項１に記載の方法を実行するための、コンピュータで実行可能な命令を有する、コンピュータ読み取り可能な媒体。
【請求項１７】
ブロードキャスト信号をリダイレクトする方法であって、
ブロードキャスト信号によって搬送される番組の記録を開始するためのメッセージの受信に応えて、そして、任意のオプションまたは命令に従って、番組を記録するステップであって、番組の記録を開始するための前記メッセージは、所定の条件または事象の発生の検出に応えて送られるステップと、
前記記録された番組を送信するための信号の受信に応えて、前記記録された番組の信号を送信するステップであって、前記記録された番組を送信するための前記信号は、前記所定の条件または事象の変化に応えて送られるステップと、
任意のオプションまたは命令に従って、前記番組の任意の部分の記録を継続するステップとを備える、方法。
【請求項１８】
前記所定の条件または事象は、前記ブロードキャスト信号を受信している通信装置の電源の切断、前記ブロードキャスト信号を受信している前記通信装置内の電源低下状態、前記通信装置が音声通話を受信すること、前記ブロードキャスト信号によって搬送される番組をユーザが見ることを妨げる別の通信を前記通信装置が受信すること、のうちの１つを備える、請求項１７に記載の方法。
【請求項１９】
サードパーティの記録サービス、または加入者の記録システムのうちの１つに前記ブロードキャスト信号をリダイレクトするための任意の命令に応えて、サードパーティの記録サービス、または加入者の記録システムのうちの１つに、前記ブロードキャスト信号をリダイレクトするステップをさらに備える、請求項１７に記載の方法。
【請求項２０】
任意のオプションまたは命令は、
所定の期間にわたって、前記ブロードキャスト信号によって搬送される前記番組を記録すること、
前記ブロードキャスト信号を受信している通信装置の電源が切断されている期間にわたって、前記番組を記録すること、
前記通信装置によって受信される音声通話またはその他の通信の期間にわたって、前記番組を記録すること、
現在ブロードキャストされている番組の終わりまで、前記ブロードキャスト信号によって搬送される前記番組を記録すること、および、
さらなる通知まで、または最大期間の終了まで、前記番組の記録を継続すること、のうちの少なくとも１つを備える、請求項１７に記載の方法。
【請求項２１】
記録のためにブロードキャスト信号をリダイレクトするシステムであって、
ブロードキャスト信号によって搬送される番組の記録を開始するためのメッセージの受信に応えて番組を記録するための、そして、任意のオプションまたは命令に従って番組を記録するための、レコーダと、
前記記録された番組を送信するための信号の受信に応えて、前記記録された番組の信号をブロードキャストするための、送受信機と、を備え、
番組の記録を開始するための前記メッセージは、所定の条件または事象の発生の検出に応えて、通信装置によって送られ、
前記記録された番組を送信するための前記信号は、前記所定の条件または事象の変化に応えて、前記通信装置によって送られる、システム。
【請求項２２】
前記レコーダは、任意のオプションまたは命令に従って、前記番組の任意の部分の記録を継続する、請求項２１に記載のシステム。
【請求項２３】
任意のオプションまたは命令は、
所定の期間にわたって、前記ブロードキャスト信号によって搬送される前記番組を記録すること、
前記ブロードキャスト信号を受信している前記通信装置の電源が切断されている期間にわたって、前記番組を記録すること、
前記通信装置によって受信される音声通話またはその他の通信の期間にわたって、前記番組を記録すること、
現在ブロードキャストされている番組の終わりまで、前記ブロードキャスト信号によって搬送される前記番組を記録すること、および、
さらなる通知まで、または最大継続期間まで、番組の記録を継続すること、のうちの少なくとも１つを備える、請求項２１に記載のシステム。
【請求項２４】
前記レコーダは、モバイルオペレータ、モバイルＴＶサービスプロバイダ、サードパーティプロバイダ、または加入者のレコーダシステムのうちの１つによって提供される、請求項２１に記載のシステム。
【請求項２５】
前記記録された番組にアクセスするためのＷｅｂページをさらに備える、請求項２１に記載のシステム。
【請求項２６】
前記記録された番組へのアクセスを可能にする情報を含む、インジケータを送信するための手段をさらに備える、請求項２１に記載のシステム。
【請求項２７】
前記記録された番組にアクセスするためのＷｅｂページへのリンクを含む、テキストメッセージ、電子メールメッセージ、または別の通信のうちの１つを送信するための手段をさらに備える、請求項２６に記載のシステム。
【請求項２８】
ブロードキャスト信号によって搬送される番組を記録するために前記ブロードキャスト信号をリダイレクトするためのメッセージを、所定の条件または事象の発生の検出に応えて生成するように適合された特徴部と、
前記ブロードキャスト信号をリダイレクトするための前記メッセージ、および、前記ブロードキャスト信号をリダイレクトすること、または前記番組を記録することに関連した、任意のオプションまたは命令を送信するための、送信機と、を備える通信装置。
【請求項２９】
前記ブロードキャスト信号によって搬送される前記番組を提示するためのモバイルＴＶ装置をさらに具備し、前記モバイルＴＶ装置は、前記通信装置内に組み込まれているか、または、前記モバイルＴＶ装置は、前記通信装置に接続可能な独立した装置である、請求項２８に記載の通信装置。
【請求項３０】
前記番組を提示するための、前記モバイルＴＶ装置に接続可能な補助ディスプレイをさらに備える、請求項２９に記載の通信装置。
【請求項３１】
前記所定の条件または事象の発生を検出するための手段をさらに具備し、前記所定の条件または事象は、前記ブロードキャスト信号を受信している前記通信装置の電源の切断、前記ブロードキャスト信号を受信している前記通信装置内の電源低下状態、前記通信装置が音声通話を受信すること、前記ブロードキャスト信号によって搬送される番組をユーザが見ることを妨げる別の通信を前記通信装置が受信すること、のうちの１つを備える、請求項２８に記載の通信装置。
【請求項３２】
記録のために信号をリダイレクトするコンピュータプログラム製品であって、前記コンピュータプログラム製品は、
コンピュータで使用可能なプログラムコードが内部に組み込まれた、コンピュータ読み取り可能な媒体を具備し、前記コンピュータ読み取り可能な媒体は、
所定の条件または事象の発生を検出するように構成された、コンピュータで使用可能なプログラムコードと、
前記ブロードキャスト信号によって搬送される番組を記録するために前記ブロードキャスト信号をリダイレクトするための、メッセージを送信するように構成された、コンピュータで使用可能なプログラムコードと、
前記ブロードキャスト信号をリダイレクトすること、または前記番組を記録することに関連する、任意のオプションまたは命令を送信するように構成された、コンピュータで使用可能なプログラムコードとを備える、コンピュータプログラム製品。
【請求項３３】
前記メッセージの送信前に、ユーザに、前記ブロードキャスト信号をリダイレクトするかどうかの確認を促すように構成された、コンピュータで使用可能なプログラムコードと、
記録のために前記ブロードキャスト信号をリダイレクトすることを前記ユーザが確認したことに応えて、前記ブロードキャスト信号をリダイレクトするために、前記メッセージ、および任意のオプションまたは命令を、システムに送信するように構成された、コンピュータで使用可能なプログラムコードとをさらに備える、請求項３２に記載のコンピュータプログラム製品。
【請求項３４】
前記ブロードキャスト信号を受信している通信装置の電源の切断、前記ブロードキャスト信号を受信している前記通信装置内の電源低下状態、前記通信装置が音声通話を受信すること、または、前記ブロードキャスト信号によって搬送される番組をユーザが見ることを妨げる別の通信を前記通信装置が受信すること、を検出するように構成された、コンピュータで使用可能なプログラムコードをさらに備える、請求項３２に記載のコンピュータプログラム製品。
【請求項３５】
前記所定の条件または事象の変化に応えて、ユーザに、記録された番組をすぐに見始めるかまたは後で見るかの確認を促すように構成された、コンピュータで使用可能なプログラムコードをさらに備える、請求項３２に記載のコンピュータプログラム製品。
【発明の詳細な説明】
【技術分野】
【０００１】
背景技術
本発明は、通信装置およびシステムに関し、より詳細には、番組を後で見るために記録するために、ブロードキャスト信号をリダイレクトする、通信装置、システム、および方法に関する。
【背景技術】
【０００２】
通信装置は、より精巧になりつつあり、また、多くの新しい特徴および機能を含むようになりつつある。１つのそのような特徴は、ディジタル・ビデオ・ブロードキャスト−ハンドヘルド（ｄｉｇｉｔａｌ  ｖｉｄｅｏ  ｂｒｏａｄｃａｓｔ−ｈａｎｄｈｅｌｄ（ＤＶＢ−Ｈ））、ディジタル・メディア・ブロードキャスト（ｄｉｇｉｔａｌ  ｍｅｄｉａ  ｂｒｏａｄｃａｓｔ（ＤＭＢ））、インテグレーテッド・サービス・ディジタル・ブロードキャスト−テレストリアル（ｉｎｔｅｇｒａｔｅｄ  ｓｅｒｖｉｃｅｓ  ｄｉｇｉｔａｌ  ｂｒｏａｄｃａｓｔ−ｔｅｒｒｅｓｔｒｉａｌ（ＩＳＤＢ−Ｔ））、または同様の技術などの、モバイルブロードキャスト信号、あるいはモバイルテレビジョンまたは同様のものを、受信する機能である。ユーザが、選択により、または偶然に、そのような通信装置の電源を切断しなければならない状況が存在する。これは、通信装置によって受信されているモバイルブロードキャスト信号の、受信の中断という結果をもたらす。例えば、ユーザは、空港のセキュリティ審査を通過していて、何らかの重要な番組をユーザが見ている通信装置の電源を切断するように要求される場合があり、あるいは、通信装置の電源またはバッテリがほぼ完全に消費されていて、電源が切断されそうになっている場合がある。これらの場合、ユーザが見ている可能性がある、スポーツの選手権イベント、映画、またはその他の番組などの、見逃したくない非常に重要な番組は、見逃されることになる。
【発明の開示】
【０００３】
概要
本発明の実施形態によれば、記録のためにブロードキャスト信号をリダイレクトする方法は、所定の条件または事象の発生を検出するステップを含んでもよい。方法は、さらに、ブロードキャスト信号によって搬送される番組を記録するためにブロードキャスト信号をリダイレクトするための、メッセージを送信するステップを含んでもよい。方法は、さらに、ブロードキャスト信号をリダイレクトすること、または番組を記録することに関連する、任意のオプションまたは命令を送信するステップを含んでもよい。
【０００４】
本発明の別の実施形態によれば、記録のためにブロードキャスト信号をリダイレクトするための方法は、ブロードキャスト信号によって搬送される番組の記録を開始するためのメッセージの受信に応えて、そして、任意のオプションまたは命令に従って、番組を記録するステップを含んでもよい。番組の記録を開始するためのメッセージは、通信装置内での、所定の条件または事象の発生の検出に応えて送られてもよい。方法は、さらに、記録された番組を送信するための信号またはメッセージの受信に応えて、記録された番組のブロードキャスト信号を送信するステップを含んでもよい。記録された番組を送信するための信号またはメッセージは、所定の条件または事象の変化に応えて送られてもよい。方法は、さらに、任意のオプションまたは命令に従って、番組の任意の部分の記録を継続するステップを含んでもよい。
【０００５】
本発明の別の実施形態によれば、記録のためにブロードキャスト信号をリダイレクトするためのシステムは、ブロードキャスト信号によって搬送される番組の記録を開始するためのメッセージの受信に応えて番組を記録するための、そして、任意のオプションまたは命令に従って番組を記録するための、レコーダを含んでもよい。番組の記録を開始するためのメッセージは、所定の条件または事象の発生の検出に応えて、通信装置によって送られてもよい。システムは、さらに、記録された番組を送信するための信号またはメッセージの受信に応えて、記録された番組の信号をブロードキャストするための、送受信機を含んでもよい。記録された番組を送信するための信号は、所定の条件または事象の変化に応えて、通信装置によって送られてもよい。
【０００６】
本発明の別の実施形態によれば、通信装置は、ブロードキャスト信号によって搬送される番組を記録するために、ブロードキャスト信号をリダイレクトするためのメッセージを、所定の条件または事象の発生の検出に応えて生成するように適合された、特徴を含んでもよい。通信装置は、さらに、ブロードキャスト信号をリダイレクトするためのメッセージと、ブロードキャスト信号をリダイレクトすること、または番組を記録することに関連する、任意のオプションまたは命令とを送信するための、送信機を含んでもよい。
【０００７】
本発明の別の実施形態によれば、記録のためにブロードキャスト信号をリダイレクトするためのコンピュータプログラム製品は、コンピュータで使用可能なプログラムコードが内部に組み込まれた、コンピュータ読み取り可能な媒体を含んでもよい。コンピュータ読み取り可能な媒体は、所定の条件または事象の発生を検出するように構成された、コンピュータで使用可能なプログラムコードを含んでもよい。コンピュータプログラム製品は、さらに、ブロードキャスト信号によって搬送される番組を記録するためにブロードキャスト信号をリダイレクトするための、メッセージを送信するように構成された、コンピュータで使用可能なプログラムコードを含んでもよい。コンピュータプログラム製品は、さらに、ブロードキャスト信号をリダイレクトすること、または番組を記録することに関連する、任意のオプションまたは命令を送信するように構成された、コンピュータで使用可能なプログラムコードを含んでもよい。
【０００８】
請求項によってのみ定義される、本発明のその他の態様および特徴は、以下に示す、本発明の限定されない詳細な説明を、添付の図面と組み合わせて検討することによって、当業者に明らかとなるであろう。
【０００９】
詳細な説明
以下の、実施形態の詳細な説明では、本発明の特定の実施形態を示す、添付の図面を参照する。異なる構造および動作を有するその他の実施形態は、本発明の範囲を逸脱するものではない。当業者によって理解されるように、本発明は、方法、システム、またはコンピュータプログラム製品として実施されてもよい。したがって、本発明は、全面的にハードウェアの実施形態、全面的にソフトウェアの実施形態（ファームウェア、常駐ソフトウェア、マイクロコード、その他を含む）、またはソフトウェアとハードウェアの態様を組み合わせた実施形態の形を取ってもよく、それらはすべて、本明細書では一般に、「回路」、「モジュール」、または「システム」と呼ばれる場合がある。さらに、本発明は、コンピュータで使用可能な記憶媒体内に組み込まれた、コンピュータで使用可能なプログラムコードを有する、コンピュータで使用可能な記憶媒体上のコンピュータプログラム製品の形を取ってもよい。
【００１０】
任意の適切な、コンピュータ読み取り可能な媒体が使用されてもよい。コンピュータで使用可能な、またはコンピュータ読み取り可能な媒体は、例えば、以下に限定されるものではないが、電子的な、磁気的な、光学的な、電磁的な、赤外線による、または半導体によるシステム、機器、装置、または伝搬媒体であってもよい。コンピュータ読み取り可能な媒体の、より具体的な例（網羅的ではないリスト）には、１本以上のワイヤを有する電気的接続、ポータブルコンピュータディスケット、ハードディスク、ランダムアクセスメモリ（ＲＡＭ）、読み出し専用メモリ（ＲＯＭ）、消去可能でプログラム可能な読み出し専用メモリ（ＥＥＰＲＯＭまたはフラッシュメモリ）、光ファイバ、ポータブルコンパクトディスク読み出し専用メモリ（ＣＤ−ＲＯＭ）、光記憶装置、インターネットまたはイントラネットをサポートする伝送媒体などの伝送媒体、あるいは磁気記憶装置が含まれる。コンピュータで使用可能な、またはコンピュータ読み取り可能な媒体は、さらに、プログラムが印刷された紙または別の適切な媒体であってもよく、なぜなら、例えば、紙またはその他の媒体の光学式走査を介して、プログラムは電子的に取り込まれてもよく、次に、必要に応じて、コンパイル、解釈実行、または適切な方法によるその他の処理が行われ、そして次に、コンピュータメモリ内に記憶されてもよいからであるということに留意されたい。本文書の文脈では、コンピュータで使用可能な、またはコンピュータ読み取り可能な媒体は、命令実行システム、機器、または装置によって使用される、あるいはそれらに関連するプログラムの、包含、記憶、通信、伝搬、または移送を行うことが可能な、任意の媒体であってもよい。
【００１１】
本発明の動作を実行するためのコンピュータプログラムコードは、Ｊａｖａ（登録商標）、Ｓｍａｌｌｔａｌｋ、Ｃ＋＋、または同様のものなどの、オブジェクト指向プログラミング言語で書かれてもよい。ただし、本発明の動作を実行するためのコンピュータプログラムコードは、「Ｃ」プログラミング言語または同様のプログラミング言語などの、従来の手続き型プログラミング言語で書かれてもよい。プログラムコードは、全部がユーザのコンピュータ上で、または一部がユーザのコンピュータ上で、スタンドアロンソフトウェアパッケージとして動作してもよく、一部がユーザのコンピュータ上で、そして一部がリモートコンピュータ上で、あるいは全部がリモートコンピュータまたはサーバ上で動作してもよい。後者のシナリオでは、リモートコンピュータは、ローカルエリアネットワーク（ＬＡＮ）またはワイドエリアネットワーク（ＷＡＮ）を介して、ユーザのコンピュータに接続されてもよく、あるいは、（例えば、インターネットサービスプロバイダを使用して、インターネットを介して）外部コンピュータへの接続が行われてもよい。
【００１２】
本発明の実施形態による方法、機器（システム）、およびコンピュータプログラム製品の、フローチャート図および／またはブロック図を参照して、本発明を以下に説明する。フローチャート図および／またはブロック図の各ブロック、ならびに、フローチャート図および／またはブロック図内のブロックの組み合わせは、コンピュータプログラム命令によって実施されてもよいということが理解されるであろう。これらのコンピュータプログラム命令は、汎用コンピュータ、専用コンピュータ、または、マシンを生成するためのその他のプログラム可能なデータ処理機器の、プロセッサに提供されてもよく、それにより、コンピュータまたはその他のプログラム可能なデータ処理機器のプロセッサを介して動作する命令は、フローチャートおよび／またはブロック図の１つのブロックまたは複数のブロックで指定される機能／動作を実施するための手段をもたらしてもよい。
【００１３】
これらのコンピュータプログラム命令は、さらに、コンピュータまたはその他のプログラム可能なデータ処理機器に、特定の方法で機能するように指示することが可能な、コンピュータ可読メモリ内に記憶されてもよく、それにより、コンピュータ可読メモリ内に記憶された命令は、フローチャートおよび／またはブロック図の１つのブロックまたは複数のブロックで指定される機能／動作を実施する命令手段を含む製品を生成してもよい。
【００１４】
コンピュータプログラム命令は、さらに、コンピュータにより実施されるプロセスを生成するために、コンピュータまたはその他のプログラム可能な機器上で一連の動作ステップが実行されるように、コンピュータまたはその他のプログラム可能なデータ処理機器上にロードされてもよく、それにより、コンピュータまたはその他のプログラム可能な装置上で動作する命令は、フローチャートおよび／またはブロック図の１つのブロックまたは複数のブロックで指定される機能／動作を実施するためのステップを提供してもよい。
【００１５】
図１Ａ、図１Ｂ、および図１Ｃ（図１と総称）は、本発明の実施形態による、記録のためにブロードキャスト信号をリダイレクトする方法１００の例のフローチャートである。方法１００で示す例示的動作および機能は、通信装置によって実行されてもよく、あるいは、一部が通信装置、通信システムまたはネットワーク、モバイルテレビジョンプロバイダなどによって、そして一部が通信装置によって、あるいはそれらの任意の組み合わせによって実行されてもよい。
【００１６】
ブロック１０２で、所定の条件または事象の発生が検出されてもよい。所定の条件または事象は、通信装置の電源がユーザによって切断されることであってもよい。所定の条件または事象は、装置の電源の低下を、完全に消費される前に検出することであってもよく、通信装置が音声通話またはその他の通信を受信することであってもよく、あるいは、通信装置によって、または通信装置に関連しているかまたは結合されているモバイルＴＶ装置によって受信されている、ブロードキャスト信号によって搬送される、任意の番組をユーザが見ることを妨げる可能性がある、その他の何らかの条件または事象であってもよい。
【００１７】
ブロック１０４で、ブロードキャスト信号によって搬送されている番組を記録するために、ブロードキャスト信号をリダイレクトするための、メッセージまたは信号が通信装置によって自動的に生成されて、通信システムまたはネットワークに送信されてもよい。通信システムまたはネットワークは、モバイル無線アクセスネットワーク（ＲＡＮ）、あるいは同様のネットワークまたはシステムであってもよい。本発明の別の実施形態では、メッセージの送信前に、ユーザまたは加入者は、ブロードキャスト信号が記録のためにリダイレクトされるようにすることをユーザが所望したかどうかの確認を促されてもよい。ユーザは、音声アラート、視覚アラート、または両方によって促されてもよい。リダイレクト信号またはメッセージの送信前に、通信装置のディスプレイ上のテキストメッセージとともに、音が提供されてもよい。本発明に関連する任意の促しは、対話型音声機能、通信装置のディスプレイ上に提示されるグラフィカルユーザインタフェース（ＧＵＩ）、または同様のものを介して、提示され応答されてもよい。リダイレクトメッセージを自動的に送信するため、または最初にユーザに確認を促すための、オプションがユーザによって予め選択されてもよい。本明細書で使用される場合、ブロードキャスト信号をリダイレクトすることは、モバイルＴＶシステムによって他の加入者に現在ブロードキャストされているブロードキャスト信号を、ブロードキャスト信号によって搬送される番組を記録し、記録された番組を再生することが可能な、記録再生アプリケーションサーバ（ＲＰＢＡＳ）または同様のものなどの装置またはシステムに、導くこと、または振り向けることとして定義されてもよい。
【００１８】
ブロードキャスト信号をリダイレクトすること、およびブロードキャスト信号によって搬送される番組を記録することに関連する、その他の、予め設定される、または予め選択されるオプションが存在してもよい。例えば、ブロードキャスト信号は、モバイル通信ネットワーク内、ブロードキャストネットワーク内の、アプリケーションサーバ、記録再生アプリケーションサーバ（ＲＰＢＡＳ）、またはその他のレコーダに、サードパーティプロバイダのレコーダまたはＲＰＢＡＳに、あるいは、ユーザの構内にあるネットワーク内のレコーダまたは記録システムに、リダイレクトされてもよい。記録のためのブロードキャスト信号のリダイレクトは、第３世代パートナーシッププロジェクト（３ＧＰＰ）標準のリリース５および６に関連してインターネットプロトコル（ＩＰ）マルチメディアサブシステム（ＩＭＳ）で規定されているインターネットプロトコル、または同様のものを使用することによって達成されてもよい。本明細書でさらに詳細に説明するように、信号をリダイレクトする期間、または番組を記録する期間に関連して選択または入力されるオプションも存在してもよい。
【００１９】
ブロック１０６で、記録のためにブロードキャスト信号をリダイレクトすることが、選択または許可されているかどうかの判定が行われてもよい。ブロック１０４で選択されていない場合、またはリダイレクトメッセージを自動的に生成して送信するように予め設定されていない場合、方法１００はブロック１０８に進んでもよい。ブロック１０８では、記録のためにブロードキャスト信号をリダイレクトするための信号またはメッセージは、システムまたはネットワークに送信されない。
【００２０】
番組を記録するためにブロードキャスト信号をリダイレクトすることが、ブロック１０４で選択されているか、または予め設定されている場合、方法１００はブロック１１０に進んでもよい。ブロック１１０で、ユーザは、ブロードキャスト信号をリダイレクトすること、または番組を記録することに関連する、任意の命令を入力するように、または任意のオプションを選択するように、促されてもよい。例えば、所定の、または予め設定された期間にわたって、通信装置の電源が切断されている期間にわたって、音声通話の期間にわたって、現在の番組の終わりまで、あるいはその他のオプションまたは命令に従って、信号はリダイレクトされてもよく、または番組は記録されてもよい。前に示した説明と同様に、ユーザは、モバイル通信ネットワーク内またはブロードキャストネットワーク内のＲＰＢＡＳまたはその他のレコーダを使用して、あるいは、サードパーティレコーダまたはＲＰＢＡＳに、あるいは、ユーザのまたは加入者のレコーダまたはシステムに、番組を記録するためにブロードキャスト信号をリダイレクトするための、命令を提供してもよく、またはオプションを選択してもよい。オプションまたは命令は、予め設定されるか、または予め定義されてもよく、あるいは、ユーザは、対話型音声システムによって、または通信装置のディスプレイ上に提示されるグラフィカルユーザインタフェース（ＧＵＩ）によって、またはこれらの特徴の組み合わせによって、オプションを選択するように促されてもよい。
【００２１】
ブロック１１２で、ブロードキャスト信号をリダイレクトするためのメッセージまたは信号が、任意のオプションまたは命令とともに、システムまたはネットワークに送信されてもよい。信号によって搬送される番組を記録するために、ブロードキャスト信号をリダイレクトするための、システムおよび手段の例は、図３を参照して以下に示され、説明される。
【００２２】
ブロック１１４で、番組を記録するためにブロードキャスト信号がリダイレクトされることをもたらした、所定の条件または事象に、変化があったかどうかの判定が行われてもよい。例えば、記録の開始中にレコーダまたはアプリケーションサーバ内に設定された条件が満たされたかどうか、例えば、要求された記録期間を過ぎているかどうかの判定が行われてもよい。あるいは、端末または通信装置内の条件が満たされたかどうか、例えば、期限不定として開始された記録を終了することをユーザが選択したかどうかの判定が行われてもよい。ブロードキャスト信号をリダイレクトすることをもたらした条件または事象が変化していない場合、ブロック１１６で、ブロードキャスト信号は継続してリダイレクトされてもよい。条件または事象に変化があった場合、方法１００はブロック１１８に進んでもよい。
【００２３】
ブロック１１８で、ユーザは、記録された番組をすぐに見始めるか、または後で見るかを指定するように促されてもよい。本発明の一実施形態では、通信装置またはクライアントは、所定の条件または事象の変化に応えて、記録された番組にアクセスするためのリンクを要求するための、テキストメッセージ、電子メール、またはその他の形態のメッセージングを送信することなどによって、記録された番組に関する情報を、アプリケーションサーバまたは同様のものに問い合わせてもよい。あるいは、ユーザは、所定のインターネットＷｅｂページにアクセスすることによって問い合わせてもよく、そのＷｅｂページを介して、記録された番組にアクセスするための手段が提供されてもよい（例えば、Ｗｅｂリンク）。本発明の別の実施形態では、アプリケーションサーバまたは同様のものは、記録された番組にモバイルユーザがアクセスすることを可能にする情報を有するインジケータまたはメッセージを、通信装置またはクライアントに送信（「プッシュ」）してもよい。例えば、インジケータまたはメッセージは、記録された番組を有するＷｅｂページへのリンクを含む、テキストメッセージ、電子メール、または同様のものであってもよい。これらは、モバイルユーザが、所定の条件または事象に変化がある場合にシステムに通知してもよく、システムが、記録された番組にアクセスするための情報を有するインジケータまたはメッセージを提供してもよい、方法の例である。モバイル通信装置およびシステムの、その他の通信特徴および機能を利用する、その他の手段も存在する。
【００２４】
ブロック１２０で、ユーザが番組をすぐに見ることを選択したか、または後で見ることを選択したかの判定が行われてもよい。記録された番組を後で見ることをユーザが選択した場合、方法１００はブロック１２２に進んでもよい。ブロック１２２で、ユーザは、番組を後で見ること、および番組の記録を継続することに関連する、任意のオプションまたは命令を入力するように促されてもよい。前に示した説明と同様に、本発明に関連する任意の促しは、対話型音声機能、通信装置のディスプレイ上に提示されるＧＵＩ、または同様のものを介して、提示され応答されてもよい。方法１００は、次に、ブロック１１６に進んでもよく、ブロードキャスト信号は、信号によって搬送される番組を記録するために、継続してリダイレクトされてもよい。
【００２５】
ブロック１２０で、記録された番組をすぐに見始めることをユーザが選択した場合、方法１００はブロック１２４に進んでもよい。ブロック１２４で、記録された番組を搬送する信号を、ＲＰＢＡＳまたはレコーダからユーザの装置に、即座に見るために直接伝送するように要求するための、メッセージまたは信号が、システムまたはネットワークに送信されてもよい。即座に見るためのこの直接伝送は、「ストリーミング」として一般に知られている。ストリーミング接続は、３ＧＰＰ標準のリリース５および６に関連してインターネットプロトコル（ＩＰ）マルチメディアサブシステム（ＩＭＳ）で規定されているものなどの、インターネットプロトコルおよび方法によって、セットアップまたは設定されてもよい。ストリーミングされる信号は、モバイルＲＡＮおよびコアネットワークを介して通信装置に送信されてもよい。
【００２６】
ブロック１２６で、記録された番組のストリーミングされた信号が、レコーダから、タイムシフトされて受信されてもよい。現在の、または進行中の番組の、同時存在するブロードキャスト信号は、任意のオプションまたは命令に従って、進行中の番組を記録するために、継続してリダイレクトされてもよい。例えば、命令が、現在の番組の終わりまでブロードキャスト信号をリダイレクトして、番組を記録するべきものである場合、システムまたはネットワークは、現在の番組の完了を検出してから、同時存在するブロードキャスト信号の、ＲＰＢＡＳまたはその他のレコーダへのリダイレクトを中止してもよい。このようにして、通信装置の電源が切断された、または通信装置が他の目的のために使用されたなどの、所定の条件または事象から、記録された番組を見ることをユーザが選ぶまでの期間にわたってタイムシフトされた、完全な番組を、ユーザは見ることができてもよい。
【００２７】
ブロック１２８で、現在の番組の終わりまで、所定の時間にわたって、最大時間などに伴うさらなる通知までなどの、ブロードキャスト信号のリダイレクトの継続、および番組の記録に関連する、任意の予め設定されたオプションまたは命令に関する通知が、加入者またはユーザに送信されてもよい。さらに、ユーザは、予め設定されたオプションまたは命令への任意の変更を促されてもよい。
【００２８】
図２は、本発明の別の実施形態による、記録のためにブロードキャスト信号をリダイレクトする方法２００の例のフローチャートである。方法２００で示す例示的動作または機能は、通信システム、ネットワーク、またはモバイルテレビジョンプロバイダなどよって実行されてもよく、あるいは、一部が通信ネットワーク、システム、モバイルテレビジョンプロバイダなどによって、そして一部が通信装置によって、あるいはそれらの任意の組み合わせによって実行されてもよい。
【００２９】
ブロック２０２で、ブロードキャスト信号によって搬送される番組の記録を開始するためのメッセージが受信されてもよい。メッセージは、さらに、番組を記録するために、ブロードキャスト信号を、ブロードキャストネットワーク、モバイルネットワーク、またはサードパーティサービスに関連付けられたＲＰＢＡＳに、あるいは加入者の記録システムに導くように指示してもよい。
【００３０】
ブロック２０４で、ブロードキャスト信号をリダイレクトすること、またはブロードキャスト信号によって搬送される番組を記録することに関連する、任意の予め設定されたオプションまたは命令が受信されてもよい。前に示した説明と同様に、予め設定された、または予め定義されたオプションまたは命令の例としては、ブロードキャスト信号によって搬送される番組を所定の期間にわたって記録すること、通信装置の電源が切断されている期間、あるいは音声通話またはその他の通信の期間にわたって番組を記録すること、現在の番組の終わりまで番組を記録すること、最大時間に伴うさらなる通知まで番組を記録すること、あるいは同様の命令またはオプションが挙げられる。予め設定されたオプションまたは命令は、モバイル通信ネットワーク内、ブロードキャストネットワーク内の、アプリケーションサーバまたはレコーダに、サードパーティプロバイダのレコーダに、あるいは、ユーザの構内にあるネットワーク内のレコーダまたは記録システムに、ブロードキャスト信号をリダイレクトすることであってもよい。ブロック２０６で、任意のオプションまたは命令に従って、番組の記録が開始されてもよく、あるいは、別のレコーダまたはシステムにブロードキャスト信号がリダイレクトされてもよい。ブロードキャスト信号をリダイレクトするための、および、ブロードキャスト信号によって搬送される番組を記録するための、システムおよび手段の例は、図３を参照して示され、説明される。
【００３１】
ブロック２０８で、記録された番組を搬送するブロードキャスト信号を送信するための信号が受信されたかどうかの判定が行われてもよい。記録された番組の信号を送信するための、信号またはメッセージが受信されていない場合、ブロック２１０で、任意のオプションまたは命令に従って、番組は継続して記録されてもよい。
【００３２】
記録された番組を送信するための、または記録された番組を搬送する信号を送信するための、信号が受信されている場合、方法２００はブロック２１２に進んでもよい。ブロック２１２で、記録された番組が送信されてもよい。サードパーティサービスまたは加入者システムが番組を記録した場合、記録された番組の送信を開始するためのメッセージまたは信号が、サードパーティサービスまたは加入者システムに送られてもよい。
【００３３】
ブロック２１４で、番組の記録された部分が、通信装置またはモバイルＴＶ装置に送信されてもよい。依然として最初にブロードキャストされている、または同時存在するブロードキャスト信号によって搬送されている、任意の番組は、任意のオプションまたは命令に従って、継続して記録されてもよい。例えば、同時存在するブロードキャスト信号によって搬送される番組は、現在の番組の終わりまで、あるいは、オプションとして選択されているか、または命令の中で提供されていてもよいその他の所定の事象まで、継続して記録されてもよい。
【００３４】
図３Ａ、図３Ｂ、および図３Ｃ（図３と総称）は、本発明の実施形態による、ブロードキャスト信号によって搬送される番組を記録するためにブロードキャスト信号をリダイレクトする、例示的システム３００および通信装置３０２のブロック略図である。システム３００は、ブロードキャストコンテンツを、装置３０２または同様のものなどのモバイル装置に、さまざまな手段によって供給し、一方で、ユーザ命令に従って記録するため、および後で見るために、ブロードキャスト信号をリダイレクトする目的のために、双方向通信を可能にするように適合されてもよい。通信装置３０２は、コードレス電話、携帯電話、携帯情報端末（ＰＤＡ）、コミュニケータ、コンピュータ装置、または同様のものであってもよく、アドバンスト・モバイル・フォン・サービス（Ａｄｖａｎｃｅｄ  Ｍｏｂｉｌｅ  Ｐｈｏｎｅ  Ｓｅｒｖｉｃｅ（ＡＭＰＳ））、ディジタル・アドバンスト・モバイル・フォン・サービス（Ｄｉｇｉｔａｌ  Ａｄｖａｎｃｅｄ  Ｍｏｂｉｌｅ  Ｐｈｏｎｅ  Ｓｅｒｖｉｃｅ（Ｄ−ＡＭＰＳ））、グローバル・システム・フォー・モバイル・コミュニケーションズ（Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ））、符号分割多重接続（Ｃｏｄｅ  Ｄｉｖｉｓｉｏｎ  Ｍｕｌｔｉｐｌｅ  Ａｃｃｅｓｓ（ＣＤＭＡ））、または同様のものなどの、いかなる特定の通信標準にも固有のものではない。図３に示す通信装置３０２の設計は、本発明を説明する目的のためのものであり、本発明は、いかなる特定の設計にも限定されない。
【００３５】
通信装置３０２は、電話通話およびその他の通信の、開始および遂行を含む、通信装置３０２の制御操作を容易にするための、オペレータまたはユーザインタフェース３０４を含んでもよい。ユーザインタフェース３０４は、通信装置３０２の状態および動作に関する視覚信号を、加入者またはユーザに提供するための、ディスプレイ３０６を含んでもよい。ディスプレイ３０６は、カラー画像を提示することが可能な液晶ディスプレイ（ＬＣＤ）または同様のものであってもよい。ディスプレイ３０６は、画像、テキスト、数字、文字、グラフィカルユーザインタフェース（ＧＵＩ）などの形態で、ユーザまたはオペレータに情報を提供してもよい。ディスプレイ３０６は、さらに、図１および図２の、それぞれ方法１００および方法２００に関して記載された、ブロードキャスト信号によって搬送される番組を提示するために使用されてもよい。
【００３６】
ユーザインタフェース３０４は、さらに、キーパッド３０８と、ジョイスティックまたは同様のものなどのポインティングデバイスを含む、機能キーまたはボタン３１０とを含んでもよい。キーパッド３０８、機能ボタンおよびジョイスティック３１０は、電話番号をダイヤルするため、通話を開始および終了するため、モバイルＴＶプロバイダ、インターネットへのアクセス、電子メール、テキストメッセージの送受信などの、その他の通信を設定するために、ユーザが通信装置３０２にコマンドを通信することを可能にする。キーパッド３０８、機能ボタンおよびジョイスティック３１０は、さらに、見るためのブロードキャストチャンネルの選択、および記録されたコンテンツの再生制御を含む、通信装置３０２のその他の動作制御のために使用されてもよい。
【００３７】
ディスプレイ３０６、キーパッド３０８、および機能ボタン３１０は、主プロセッサおよび制御論理ユニット３１２に結合されてもよい。主プロセッサおよび制御論理ユニット３１２は、マイクロプロセッサまたは同様のものであってもよい。主プロセッサおよび論理ユニット３１２は、番組を記録するためにブロードキャスト信号をリダイレクトするための、特徴３１４を含んでもよい。図１の方法１００および図２の方法２００において、通信装置に関して説明した機能および動作は、ブロードキャスト信号をリダイレクトするための特徴３１４の中で実施されてもよい。ブロードキャスト信号をリダイレクトする特徴３１４は、ハードウェア、ファームウェア、ソフトウェア（データ構造）、またはそれらの組み合わせにより実施されてもよい。主プロセッサおよび論理ユニット３１２は、制御信号をエンコードおよびデコードするため、通信手順を実行するため、および本明細書に記載するその他の機能を実行するための、その他のデータ構造、ソフトウェアプログラム、コンピュータアプリケーションなども含んでもよい。
【００３８】
ユーザインタフェース３０４は、マイクロフォン３１６およびスピーカ３１８も含んでもよい。マイクロフォン３１６は、ユーザからの、または別の音源からの、音声または音響信号を受け取ってもよい。マイクロフォン３１６は、音声または音響信号を、電気信号に変換してもよい。マイクロフォン３１６は、主プロセッサおよび論理ユニット３１２に接続されてもよく、主プロセッサおよび論理ユニット３１２は、その電気信号を、ベースバンド通信信号に変換してもよい。主プロセッサおよび制御論理ユニット３１２は、無線送信機３２０に接続されてもよく、無線送信機３２０は、主プロセッサおよび制御論理ユニット３１２からのベースバンド信号を、無線周波数（ＲＦ）信号に変換してもよい。無線送信機３２０は、モバイル無線アクセスネットワーク（ＲＡＮ）３２４または同様のものなどの、通信媒体またはシステムに、ＲＦ信号を送信するための、アンテナ装置３２２に接続されてもよい。
【００３９】
アンテナ装置３２２は、無線によるＲＦ信号を受信して、そのＲＦ信号を無線受信機３２６に転送してもよい。無線受信機３２６は、ＲＦ信号を、ベースバンド信号に変換してもよい。ベースバンド信号は、主プロセッサおよび制御論理ユニット３１２に印加されてもよく、主プロセッサおよび制御論理ユニット３１２は、ベースバンド信号を、電気信号に変換してもよい。プロセッサおよび制御ユニット３１２は、電気信号をスピーカ３１８に送ってもよく、スピーカ３１８は、電気信号を、ユーザによって理解されることが可能な音声信号に変換してもよい。
【００４０】
電源３２８が、通信装置３０２の動作のための電力を提供するために、主プロセッサおよび制御論理ユニット３１２に接続されてもよい。電源３２８は、充電式バッテリまたは同様のものであってもよい。プロセッサ３１２またはリダイレクトする特徴３１４は、本発明に従ってブロードキャスト信号をリダイレクトするために、電源３２８の状態を監視してもよい。
【００４１】
通信装置３０２は、さらに、モバイルＴＶ装置３３０を含んでもよい。モバイルＴＶ装置３３０は、ＤＶＢ−Ｈタイプの装置または同様のものであってもよい。モバイルＴＶブロードキャストは、モバイルネットワーク内の、マルチメディア・ブロードキャスト・マルチキャスト・システム（Ｍｕｌｔｉｍｅｄｉａ  Ｂｒｏａｄｃａｓｔ  Ｍｕｌｔｉｃａｓｔ  Ｓｙｓｔｅｍ（ＭＢＭＳ））ブロードキャスト特徴などの、モバイル通信信号によって搬送されてもよい。このタイプのシステムでは、モバイル装置３３０内で、ＤＶＢ−Ｈ受信機は任意選択であってもよいが、一部のモバイル装置は、可能な最も広いモバイルＴＶ受信可能範囲を提供するために、ＭＢＭＳとＤＶＢ−Ｈの両方の機能を有してもよく、その理由は、技術選択はシステムオペレータおよび／または地域によって変化する場合があるからである。モバイルＴＶ装置３３０は、通信装置３０２の部分として一体化して形成されてもよく、または、通信装置３０２に接続されて共同で動作することが可能な、独立したユニットであってもよい。モバイルＴＶ装置３３０は、モバイルＴＶブロードキャストネットワーク、ブロードキャスト無線ネットワーク（ＢＲＮ）３３４、または同様のものから、番組のブロードキャスト信号３３３を受信するための、アンテナ装置３３２を含んでもよい。ブロードキャスト信号３３３を受信するために、アンテナ装置３３２に、送受信機３３６が結合されてもよい。信号プロセッサ３３８が、送受信機３３６からブロードキャスト信号３３３を受け取って、その信号を、通信装置３０２のディスプレイ３０６上での、または補助ディスプレイ３４０上での提示ためのフォーマットに変換してもよい。一般に、補助ディスプレイ３４０は、通信装置３０２のディスプレイ３０６よりもはるかに大きく、かつ、より多くのピクセルを含み、そしてより良好な画質を提供してもよい。補助ディスプレイ３４０は、通信装置３０２に付随するスピーカ３１８よりも良好な音質のための、オーディオシステム（図示せず）も含んでもよい。補助ディスプレイ３４０への接続３４１は、有線接続であってもよく、あるいは、ブルートゥース（Ｂｌｕｅｔｏｏｔｈ）、無線ローカルエリアネットワーク（ＷＬＡＮ）、または同様のものを介した、無線接続であってもよい。
【００４２】
ブロードキャスト無線ネットワーク（ＢＲＮ）３３４は、ブロードキャストコアネットワーク（ＢＣＮ）３４２または同様のものに接続されてもよい。ブロードキャストコアネットワーク３４２は、通信装置３０２およびモバイルＴＶ装置３３０などの、通信装置またはモバイルＴＶ装置へのブロードキャストのために、モバイルＴＶまたはＤＶＢ−ＨブロードキャストデータをＢＲＮ  ３３４に移送してもよい。ＢＲＮ  ３３４は、ブロードキャスト信号を送信するための送信機３４５を含んでもよい。
【００４３】
ＢＣＮ  ３４２は、モバイルＴＶプロバイダまたはモバイルＴＶアプリケーション領域３４４に接続されてもよい。モバイルＴＶアプリケーション領域３４４は、ＢＣＮ  ３４２およびＢＲＮ  ３３４を介して、通信装置３０２またはモバイルＴＶ装置３３０にブロードキャストするための、番組を発生させてもよい。モバイルＴＶアプリケーション領域３４４は、ブロードキャストアプリケーションサーバ（ＢＣＡＳ）３４６を含んでもよい。ブロードキャストアプリケーションサーバ３４６は、番組を記録するためにブロードキャスト信号をリダイレクトするための、特徴３４８を含んでもよい。図１および図２の、方法１００および方法２００に関して記載された機能および動作の少なくとも一部は、ブロードキャストアプリケーションサーバ３４６と、ブロードキャスト信号をリダイレクトするための特徴３４８との中で実施されてもよい。リダイレクトする特徴３４８は、ハードウェア、ファームウェア、ソフトウェア（データ構造）、またはそれらの組み合わせにより実施されてもよい。
【００４４】
モバイルＴＶアプリケーション領域３４４は、レコーダ、あるいは記録再生アプリケーションサーバ（ＲＰＢＡＳ）３５０または同様のものも含んでもよい。記録再生アプリケーションサーバ３５０は、方法２００（図２）のブロック２１４に関して示した説明と同様に、以前にブロードキャストされた信号からの、記録された番組を再生している間に、同時存在するブロードキャスト信号によって搬送される現在の番組を継続して記録するように適合されてもよい、ディジタルビデオレコーダ（ＤＶＲ）または同様のものを含んでもよい。
【００４５】
ＢＣＮ  ３４２は、インターネット３５２に、あるいは、インターネットプロトコル（ＩＰ）または同様のものを利用してもよい、その他のプライベートネットワークに接続されてもよい。ＢＣＮ  ３４２およびモバイルＴＶアプリケーション領域３４４は、ブロードキャスト信号によって搬送される番組を記録するために、ブロードキャスト信号のリダイレクトを制御するための、信号またはメッセージを、インターネット３５２を介して送受信してもよい。図１および図２の方法１００および方法２００に関して示した説明と同様の、記録された番組の再生を制御するためのメッセージおよび信号も、インターネット３５２を介して送受信されてもよい。
【００４６】
モバイルＲＡＮ  ３２４は、モバイルコアネットワーク（ＣＮ）３５４に結合されてもよい。モバイルＲＡＮ  ３２４またはモバイルＣＮ  ３５４は、記録された番組を搬送するストリーミングされた信号を、通信装置３０２またはモバイルＴＶ装置３３０に送信するための、送受信機３５５を含んでもよい。本発明の一実施形態では、モバイルＣＮ  ３４２は、インターネット３５２またはその他のネットワークに、およびモバイルオペレータブロードキャストアプリケーション領域３５６に接続されてもよい。ブロードキャスト信号は、番組を記録するために、ＢＣＮ  ３４２から、モバイルオペレータブロードキャストアプリケーション領域３５６に、インターネット３５２を介してリダイレクトされてもよい。モバイルオペレータブロードキャストアプリケーション領域３４４は、ブロードキャストアプリケーションサーバ３５８と、ブロードキャスト信号によって搬送される番組を記録するための、レコーダ、あるいは記録再生アプリケーションサーバ（ＲＰＢＡＳ）３６０または同様のものとを含んでもよい。ブロードキャストアプリケーションサーバ３５８は、図１および図２の、それぞれ方法１００および方法２００に関して記載された機能のいくらかを実施してもよい、リダイレクト特徴３６２を含んでもよい。
【００４７】
本発明の別の実施形態では、ＩＰマルチメディアサブシステム（ＩＭＳ）３６４が提供されてもよい。ＩＭＳ  ３６４は、ＩＭＳ層３６６を介してモバイルＣＮ  ３５４に結合されてもよい、モバイルアプリケーションネットワーク領域として説明されてもよく、ＩＭＳ層３６６は、関連するアプリケーションサーバ３６８〜３７６がネットワーク内のモバイル装置と通信するための、共通のサービスおよび方法を提供する。ＩＭＳ  ３６４は、さまざまな要素および機能を実施してもよい。例えば、ＩＭＳ  ３６４は、図１および図２の、それぞれ方法１００および方法２００に関して示した説明と同様に、リダイレクトされたブロードキャスト信号を受信し、記録および再生動作を実行するための、ブロードキャストアプリケーションサーバ（ＢＣＡＳ）３６８と、記録再生アプリケーションサーバ（ＲＰＢＡＳ）３７０とを含んでもよい。ＩＭＳ  ３６４内に含まれてもよい、アプリケーションサーバのその他の例は、半二重音声通信のための、プッシュツートーク（ｐｕｓｈ−ｔｏ−ｔａｌｋ）アプリケーションサーバ３７２、全二重音声通信のための、ボイスオーバＩＰ（ｖｏｉｃｅ−ｏｖｅｒ−ＩＰ）アプリケーションサーバ３７４、およびインスタントメッセージングアプリケーションサーバ（ＩＭＡＳ）３７６である。
【００４８】
本発明の別の実施形態では、方法１００および方法２００に関して説明したように、サードパーティプロバイダまたはサードパーティレコーダまたはＲＰＢＡＳ  ３７８が存在し、リダイレクトされたブロードキャスト信号を受信するため、およびリダイレクトされたブロードキャスト信号によって搬送される番組を記録するために選択されてもよい。サードパーティＲＰＢＡＳ  ３７８は、リダイレクトされたブロードキャスト信号を受信するため、記録された番組を再生するため、ならびに、記録および再生に関する制御信号またはメッセージを送受信するために、インターネット３５２に接続されてもよい。
【００４９】
さらに、図１および図２の、それぞれ方法１００および方法２００に関して示した説明と同様に、加入者の構内３８１における、加入者の、またはユーザの、レコーダシステムまたはパーソナルＲＰＢＡＳ  ３８０が、リダイレクトされたブロードキャスト信号を受信するために選択されてもよい。加入者のパーソナルＲＰＢＡＳ  ３５４は、加入者のホームネットワーク３８２と、ブロードバンド接続（ＢＣ）３８４または同様のものとを介して、インターネット３５２またはその他のネットワークに接続されてもよい。したがって、加入者のＲＰＢＡＳ  ３８０は、方法１００および方法２００に関して説明した機能と同様の、送信されたブロードキャスト信号の受信、記録された番組の再生、および制御信号の送受信を、インターネット接続３５２を介して行ってもよい。
【００５０】
図中のフローチャートおよびブロック図は、本発明のさまざまな実施形態による、システム、方法、およびコンピュータプログラム製品の可能な実施の、アーキテクチャ、機能、および動作を示す。これに関して、フローチャートまたはブロック図内の各ブロックは、規定された論理機能を実施するための、１つ以上の実行可能命令を含む、コードのモジュール、セグメント、または部分を表してもよい。一部の代替の実施においては、ブロック内に記載されている機能は、図中に記載されている順序以外の順序で発生してもよいということにも留意すべきである。例えば、連続して示されている２つのブロックは、実際には、実質的に同時に実行されてもよく、あるいは、含まれる機能によっては、それらのブロックは、逆の順序で実行される場合があってもよい。ブロック図および／またはフローチャート図の各ブロックと、ブロック図および／またはフローチャート図内のブロックの組み合わせとは、指定された機能または動作を実行する、専用ハードウェアベースシステムによって、または専用ハードウェアとコンピュータ命令との組み合わせによって実施されてもよいということにも留意されたい。
【００５１】
本明細書中で使用する用語は、特定の実施形態のみを説明する目的のためのものであり、本発明を限定することを意図するものではない。本明細書中で使用する場合、単数形「ａ」、「ａｎ」、および「ｔｈｅ」は、複数形も含むことが意図されている（ただし、そうではないことが文脈によって明確に示される場合を除く）。用語「備える（ｃｏｍｐｒｉｓｅｓ）」および／または「備えている（ｃｏｍｐｒｉｓｉｎｇ）」は、本明細書中で使用される場合、述べられた特徴、整数、ステップ、動作、要素、および／または構成要素の存在を指定するが、１つ以上のその他の特徴、整数、ステップ、動作、要素、構成要素、および／またはそれらのグループの存在または追加を除外するものではないということも、さらに理解されるであろう。
【００５２】
特定の実施形態が本明細書に示され、説明されたが、同じ目的を達成するのに適合した任意の機構が、示された特定の実施形態の代わりに用いられてもよいということ、および、本発明は、他の環境において、他の適用例を有するということが、当業者によって理解される。本出願は、本発明の任意の改作または変形を網羅することを意図するものである。請求項は、本発明の範囲を、本明細書に記載された特定の実施形態に制限することを意図するものでは決してない。
【図面の簡単な説明】
【００５３】
【図１Ａ】本発明の実施形態による、記録のためにブロードキャスト信号をリダイレクトするための方法の例のフローチャートである。
【図１Ｂ】本発明の実施形態による、記録のためにブロードキャスト信号をリダイレクトするための方法の例のフローチャートである。
【図１Ｃ】本発明の実施形態による、記録のためにブロードキャスト信号をリダイレクトするための方法の例のフローチャートである。
【図２】本発明の別の実施形態による、記録のためにブロードキャスト信号をリダイレクトするための方法の例のフローチャートである。
【図３Ａ】本発明の実施形態による、記録のためにブロードキャスト信号をリダイレクトするための例示的システムおよび通信装置のブロック略図である。
【図３Ｂ】本発明の実施形態による、記録のためにブロードキャスト信号をリダイレクトするための例示的システムおよび通信装置のブロック略図である。
【図３Ｃ】本発明の実施形態による、記録のためにブロードキャスト信号をリダイレクトするための例示的システムおよび通信装置のブロック略図である。
【図１Ａ】
2009505487.tif 000003
【図１Ｂ】
2009505487.tif 000004
【図１Ｃ】
2009505487.tif 000005
【図２】
2009505487.tif 000006
【図３Ａ】
2009505487.tif 000007
【図３Ｂ】
2009505487.tif 000008
【図３Ｃ】
2009505487.tif 000009
【手続補正書】
【提出日】平成19年2月26日(2007.2.26)
【手続補正１】
【補正対象書類名】特許請求の範囲
【補正対象項目名】全文
【補正方法】変更
【補正の内容】
【特許請求の範囲】
【請求項１】
記録のためにブロードキャスト信号をリダイレクトする方法（１００）であって、
モバイル通信装置（３０２）による、所定の条件または事象の発生を検出するステップ（１０２）であって、前記モバイル通信装置（３０２）は、前記ブロードキャスト信号を受信するためのモバイルＴＶ装置（３３０）を含むか、または前記モバイルＴＶ装置（３３０）に関連しているステップと、
前記ブロードキャスト信号によって搬送される番組を記録するために前記ブロードキャスト信号をリダイレクトするためのメッセージを送信するステップ（１０４）であって、前記ブロードキャスト信号をリダイレクトするための前記メッセージは、前記モバイル通信装置（３０２）からモバイル無線アクセスネットワーク（３２４）に送信されるステップと、
前記ブロードキャスト信号をリダイレクトすること、または前記番組を記録することに関連する、任意のオプションまたは命令を、前記モバイル通信装置（３０２）から前記モバイル無線アクセスネットワーク（３２４）に送信するステップ（１１２）と
を備える、方法。
【請求項２】
前記メッセージの送信前に、ユーザに、前記ブロードキャスト信号をリダイレクトするかどうかの確認を促すステップ（１０６）と、
記録のために前記ブロードキャスト信号をリダイレクトすることを前記ユーザが確認したことに応えて、前記ブロードキャスト信号をリダイレクトするために、前記メッセージおよび任意のオプションまたは命令をシステムに送信するステップ（１０６、１１０、１１２）と
をさらに備える、請求項１に記載の方法（１００）。
【請求項３】
前記所定の条件または事象の発生の検出に応えて、前記ブロードキャスト信号をリダイレクトするための前記メッセージを自動的に送信するステップ（１０４）をさらに備える、請求項１に記載の方法（１００）。
【請求項４】
前記所定の条件または事象は、前記ブロードキャスト信号を受信している通信装置の電源の切断、前記ブロードキャスト信号を受信している前記通信装置内の電源低下状態、前記通信装置が音声通話を受信すること、前記ブロードキャスト信号によって搬送される番組をユーザが見ることを妨げる別の通信を前記通信装置が受信すること、のうちの１つを備える（１０２）、請求項１に記載の方法（１００）。
【請求項５】
前記オプションまたは命令は、
所定の期間にわたって、前記ブロードキャスト信号をリダイレクトすること（１１０）、
前記ブロードキャスト信号を受信している通信装置の電源が切断されている期間にわたって、前記ブロードキャスト信号をリダイレクトすること（１１０）、
前記通信装置によって受信される音声通話またはその他の通信の期間にわたって、前記ブロードキャスト信号をリダイレクトすること（１１０）、
現在ブロードキャストされている番組の終わりまで、前記ブロードキャスト信号によって搬送される番組を記録すること（１１０）、および、
さらなる通知まで、または予め設定された最大時間間隔まで、記録を継続すること（１１０）、のうちの少なくとも１つを備える、請求項１に記載の方法（１００）。
【請求項６】
前記ブロードキャスト信号をリダイレクトするための前記メッセージを送信するステップは、通信ネットワーク内のレコーダまたは記録機能部（３６０）、ブロードキャストネットワーク内のレコーダまたは記録機能部（３５０）、サードパーティのレコーダまたは記録機能部（３７８）、およびユーザの独自のレコーダまたは記録機能部（３８０）を含む群のうちの１つに、前記ブロードキャスト信号をリダイレクトするためのリダイレクト信号を送信するステップ（１１２）を備える、請求項１に記載の方法（１００）。
【請求項７】
前記所定の条件または事象の変化に応えて、ユーザに、記録された番組をすぐに見始めるかまたは後で見るかの確認を促すステップ（１１８）をさらに備える、請求項１に記載の方法（１００）。
【請求項８】
前記記録された番組を後で見ること、および前記ブロードキャスト信号の記録を継続することに関連する、任意のオプションまたは命令を入力するように前記ユーザを促すステップ（１２２）をさらに備える、請求項７に記載の方法（１００）。
【請求項９】
前記番組を見始めることの選択に応えて、前記番組の記録された部分の信号を受信するステップ（１２６）と、
任意のオプションまたは命令に従って前記番組を記録するために、前記ブロードキャスト信号のリダイレクトを継続するステップ（１２６）と
をさらに備える、請求項７に記載の方法（１００）。
【請求項１０】
前記記録された番組に関する情報についての問い合わせを送るステップ（１１８）をさらに備える、請求項１に記載の方法（１００）。
【請求項１１】
前記記録された番組にアクセスするためのリンクを要求するステップ（１１８）をさらに備える、請求項１に記載の方法（１００）。
【請求項１２】
前記記録された番組にアクセスするための、前記ユーザによってアクセス可能な所定のインターネットＷｅｂページを提供するステップ（１１８）をさらに備える、請求項１に記載の方法（１００）。
【請求項１３】
前記記録された番組へのアクセスを可能にする情報を含む、インジケータを送信するステップ（１１８）をさらに備える、請求項１に記載の方法（１００）。
【請求項１４】
前記インジケータを送信するステップは、前記記録された番組にアクセスするためのＷｅｂページへのリンクを含む、テキストメッセージ、電子メールメッセージ、または別の通信のうちの１つを送信するステップ（１１８）を備える、請求項１３に記載の方法（１００）。
【請求項１５】
ブロードキャスト信号をリダイレクトする方法（２００）であって、
ブロードキャスト信号によって搬送される番組の記録を開始するためのメッセージの受信に応えて（２０２）、そして、任意のオプションまたは命令に従って（２０４）、番組を記録するステップであって、番組の記録を開始するための前記メッセージは、所定の条件または事象の発生の検出に応えて送られ、前記メッセージは、モバイル通信装置（３０２）からモバイル無線アクセスネットワーク（３２４）に送られ、そして、前記モバイル通信装置（３０２）は、前記ブロードキャスト信号を受信するためのモバイルＴＶ装置（３３０）を含むか、または前記モバイルＴＶ装置（３３０）に関連しているステップと、
前記記録された番組を送信するための信号の受信に応えて、前記モバイル通信装置（３０２）またはモバイルＴＶ装置（３３０）に、前記記録された番組の信号を送信するステップ（２１２）であって、前記記録された番組を送信するための前記信号は、前記所定の条件または事象の変化に応えて送られるステップと、
任意のオプションまたは命令に従って、前記番組の任意の部分の記録を継続するステップ（２１４）と、
を備える、方法。
【請求項１６】
前記所定の条件または事象は、前記ブロードキャスト信号を受信している通信装置の電源の切断、前記ブロードキャスト信号を受信している前記通信装置内の電源低下状態、前記通信装置が音声通話を受信すること、前記ブロードキャスト信号によって搬送される番組をユーザが見ることを妨げる別の通信を前記通信装置が受信すること、のうちの１つを備える（１０２）、請求項１５に記載の方法（２００）。
【請求項１７】
サードパーティの記録サービス、または加入者の記録システムのうちの１つに前記ブロードキャスト信号をリダイレクトするための任意の命令に応えて、サードパーティの記録サービス、または加入者の記録システムのうちの１つに、前記ブロードキャスト信号をリダイレクトするステップ（２０２）をさらに備える、請求項１５に記載の方法（２００）。
【請求項１８】
任意のオプションまたは命令は、
所定の期間にわたって、前記ブロードキャスト信号によって搬送される前記番組を記録すること（２０４）、
前記ブロードキャスト信号を受信している通信装置の電源が切断されている期間にわたって、前記番組を記録すること（２０４）、
前記通信装置によって受信される音声通話またはその他の通信の期間にわたって、前記番組を記録すること（２０４）、
現在ブロードキャストされている番組の終わりまで、前記ブロードキャスト信号によって搬送される前記番組を記録すること（２０４）、および、
さらなる通知まで、または最大期間の終了まで、前記番組の記録を継続すること（２０４）、のうちの少なくとも１つを備える、請求項１５に記載の方法（２００）。
【請求項１９】
記録のためにブロードキャスト信号をリダイレクトするシステム（３００）であって、
ブロードキャスト信号によって搬送される番組の記録を開始するためのメッセージの受信に応えて番組を記録するための、そして、任意のオプションまたは命令（１１０、２０４）に従って番組を記録するための、レコーダ（３５０、３６０、３７０、３７８、３８０）と、
前記記録された番組を送信するための信号の受信に応えて、前記記録された番組の信号をブロードキャストするための（１２４、２１２）、送受信機（３４５）と、を含み、
番組の記録を開始するための前記メッセージは、所定の条件または事象の発生の検出（１０２）に応えて、モバイル通信装置（３０２）によって、モバイル無線アクセスネットワーク（３２４）に送られ、前記モバイル通信装置（３０２）は、前記ブロードキャスト信号を受信するためのモバイルＴＶ装置（３３０）を含むか、または前記モバイルＴＶ装置（３３０）に関連しており、
前記記録された番組を送信するための前記信号は、前記所定の条件または事象の変化に応えて（１１４、１１８）、前記通信装置（３０２）によって送られる、システム。
【請求項２０】
前記レコーダ（３５０、３６０、３７０、３７８、３８０）は、任意のオプションまたは命令に従って、前記番組の任意の部分の記録を継続する（２１４）、請求項１９に記載のシステム（３００）。
【請求項２１】
任意のオプションまたは命令（１１０、２０４）は、
所定の期間にわたって、前記ブロードキャスト信号によって搬送される前記番組を記録すること（１１０、２０４）、
前記ブロードキャスト信号を受信している前記通信装置の電源が切断されている期間にわたって、前記番組を記録すること（１１０、２０４）、
前記通信装置によって受信される音声通話またはその他の通信の期間にわたって、前記番組を記録すること（１１０、２０４）、
現在ブロードキャストされている番組の終わりまで、前記ブロードキャスト信号によって搬送される前記番組を記録すること（１１０、２０４）、および、
さらなる通知まで、または最大継続期間まで、番組の記録を継続すること（１１０、２０４）、のうちの少なくとも１つを備える、請求項１９に記載のシステム（３００）。
【請求項２２】
前記レコーダは、モバイルオペレータ（３５６）、モバイルＴＶサービスプロバイダ（３４４）、サードパーティプロバイダ（３７８）、または加入者のレコーダシステム（３８０）のうちの１つによって提供される、請求項１９に記載のシステム（３００）。
【請求項２３】
前記記録された番組にアクセスするＷｅｂページをさらに備える（１１８）、請求項１９に記載のシステム（３００）。
【請求項２４】
前記記録された番組へのアクセスを可能にする情報を含む、インジケータを送信するための手段（３４２、３５２、３５４）をさらに備える、請求項１９に記載のシステム（３００）。
【請求項２５】
前記記録された番組にアクセスするためのＷｅｂページへのリンクを含む、テキストメッセージ、電子メールメッセージ、または別の通信のうちの１つを送信するための手段（３４２、３５２、３５４）をさらに備える、請求項２４に記載のシステム（３００）。
【請求項２６】
ブロードキャスト信号によって搬送される番組を記録するために前記ブロードキャスト信号をリダイレクトするためのメッセージを、所定の条件または事象の発生の検出に応えて生成するように適合された特徴部（３１４）と、
前記ブロードキャスト信号をリダイレクトするための前記メッセージ、および、前記ブロードキャスト信号をリダイレクトすること、または前記番組を記録することに関連した、任意のオプションまたは命令を、モバイル無線アクセスネットワーク（３２４）に送信するための、送信機（３２６）と、を備えるモバイル通信装置（３０２）であって、
前記モバイル通信装置（３０２）は、前記ブロードキャスト信号を受信するためのモバイルＴＶ装置（３３０）を含むか、または前記モバイルＴＶ装置（３３０）に関連している、モバイル通信装置。
【請求項２７】
前記モバイルＴＶ装置（３３０）は、前記通信装置（３０２）内に組み込まれているか、または、前記モバイルＴＶ装置（３３０）は、前記通信装置（３０２）に接続可能な、独立した装置である、請求項２６に記載の通信装置（３０２）。
【請求項２８】
前記番組を提示するための、前記モバイルＴＶ装置（３０２）に接続可能な補助ディスプレイ（３４０）をさらに備える、請求項２７に記載の通信装置（３０２）。
【請求項２９】
前記所定の条件または事象の発生を検出するための手段（３１２、１０２）をさらに具備し、前記所定の条件または事象（１０２）は、前記ブロードキャスト信号を受信している前記通信装置の電源の切断、前記ブロードキャスト信号を受信している前記通信装置内の電源低下状態、前記通信装置が音声通話を受信すること、前記ブロードキャスト信号によって搬送される番組をユーザが見ることを妨げる別の通信を前記通信装置が受信すること、のうちの１つを備える（１０２）、請求項２６に記載の通信装置（３０２）。
【国際調査報告】
2009505487.tif 000010
2009505487.tif 000011
2009505487.tif 000012